(57)【要約】【課題】ブラシ材の種類に応じた特長を活かし切ることができる洗車ブラシを提供する。【解決手段】回転軸１の周囲に、ひだ寄せした布帛又はひだ寄せした合成樹脂発泡体シートである第一のブラシ材２と、自由端側をスリットで細分した合成樹脂発泡体シート又はモノフィラメントの束である第二のブラシ材３とを設けた洗車ブラシとする。【選択図】　　　図１
0003097369.tif 000002
【実用新案登録請求の範囲】
【請求項１】
回転軸の周囲にブラシ材を取り付けた洗車ブラシにおいて、２種類以上のブラシ材が併用されていることを特徴とする洗車ブラシ。
【請求項２】
ブラシ材が、ひだ寄せした布帛、ひだ寄せした合成樹脂発泡体シート、自由端側をスリットで細分した合成樹脂発泡体シート及びモノフィラメントの束から選ばれる２種類以上であることを特徴とする請求項１に記載の洗車ブラシ。
【請求項３】
ブラシ材が、回転軸の軸方向に多段にかつ各段毎に回転軸を一周する方向に取り付けられており、一の種類のブラシ材で構成された段と、他の種類のブラシ材で構成された段とが併存していることを特徴とする請求項１に記載の洗車ブラシ。
【請求項４】
回転軸を縦にして設置される洗車ブラシであって、回転軸の上部の段のブラシ材がひだ寄せした布帛又はひだ寄せした合成樹脂発泡体シートで、回転軸の下部の段のブラシ材が自由端側をスリットで細分した合成樹脂発泡体シート又はモノフィラメントの束であるか、又は、回転軸の上段部のブラシ材が自由端側をスリットで細分した合成樹脂発泡体シートで、回転軸の下部の段のブラシ材がモノフィラメントの束であることを特徴とする請求項３に記載の洗車ブラシ。
【請求項５】
ブラシ材が、回転軸の軸方向に多段にかつ各段毎に回転軸を一周する方向に取り付けられており、しかも１段毎に２種以上のブラシ材が併存していることを特徴とする請求項１に記載の洗車ブラシ。
【請求項６】
ブラシ材が、回転軸を螺旋状に巻く方向に取り付けられており、しかも回転軸を螺旋状に巻く方向に取り付けられたブラシ材の列中に２種以上のブラシ材が交互に併存していることを特徴とする請求項１に記載の洗車ブラシ。
【請求項７】
ブラシ材として、ひだ寄せした布帛又はひだ寄せした合成樹脂発泡体シートと、自由端側をスリットで細分した合成樹脂発泡体シート又はモノフィラメントとが用いられているか、又は、自由端側をスリットで細分した合成樹脂発泡体シートとモノフィラメントの束用とが用いられていることを特徴とする請求項５又は６に記載の洗車ブラシ。
【考案の詳細な説明】
【０００１】
【考案の属する技術分野】
本考案は、自動洗車機に用いられる洗車ブラシに関する。
【０００２】
【従来の技術】
従来、自動洗車機の洗車ブラシとしては、ブラシ材として、モノフィラメントの束を用いたもの、ひだ寄せした布帛を用いたもの、ひだ寄せした合成樹脂発泡体シートを用いたもの、自由端側をスリットで細分した合成樹脂発泡体シートを用いたものなどが知られている（例えば、特許文献１〜３参照）。
【０００３】
【特許文献１】
特開平４−５７９０８号公報
【特許文献２】
特開平８−３１８８２８号公報
【特許文献３】
実用新案登録第３０８７１４３号公報
【０００４】
【考案が解決しようとする課題】
ところで、上記従来の洗車ブラシに用いられているブラシ材は、それぞれ洗浄時の車体への当たり方が相違し、洗浄力にも相違を有する。例えばモノフィラメントの束は、広い面の汚れをむらなく落としにくい反面、細かな凹凸部分にも入り込んで汚れを落としやすい。また、ひだ寄せした布帛及び合成樹脂発泡体シートは、上記モノフィラメントの束のような音を生じにくく、当たりがソフトな感触を持たせやすく、広い面の汚れを拭い取りやすい反面、細かな凹凸部分に洗い残しを生じやすく、自由端側をスリットで細分した合成樹脂発泡体シートは、車体への当たりは更にソフトで、前記モノフィラメントの束と、ひだ寄せした布帛及び合成樹脂発泡体シートとの中間的な洗浄力が得られる。
【０００５】
上記のように、ブラシ材は種類によって特長を有するが、従来の洗車ブラシは、１種類のブラシ材で構成されていることから、ブラシ材の種類に応じた特長を十分活かし切れてない問題がある。
【０００６】
本考案は、上記従来の問題点に鑑みてなされたもので、ブラシ材の種類に応じた特長を活かし切ることができる洗車ブラシを提供することを目的とする。
【０００７】
【課題を解決するための手段】
本考案は、上記目的のために、回転軸の周囲にブラシ材を取り付けた洗車ブラシにおいて、２種類以上のブラシ材が併用されていることを特徴とする洗車ブラシを提供するものである。
【０００８】
また、上記本考案は、ブラシ材が、ひだ寄せした布帛、ひだ寄せした合成樹脂発泡体シート、自由端側をスリットで細分した合成樹脂発泡体シート及びモノフィラメントの束から選ばれる２種類以上であること、
ブラシ材が、回転軸の軸方向に多段にかつ各段毎に回転軸を一周する方向に取り付けられており、一の種類のブラシ材で構成された段と、他の種類のブラシ材で構成された段とが併存していること、
回転軸を縦にして設置される洗車ブラシであって、回転軸の上部の段のブラシ材がひだ寄せした布帛又はひだ寄せした合成樹脂発泡体シートで、回転軸の下部の段のブラシ材が自由端側をスリットで細分した合成樹脂発泡体シート又はモノフィラメントの束であるか、又は、回転軸の上段部のブラシ材が自由端側をスリットで細分した合成樹脂発泡体シートで、回転軸の下部の段のブラシ材がモノフィラメントの束であること、
ブラシ材が、回転軸の軸方向に多段にかつ各段毎に回転軸を一周する方向に取り付けられており、しかも１段毎に２種以上のブラシ材が併存していること、
ブラシ材が、回転軸を螺旋状に巻く方向に取り付けられており、しかも回転軸を螺旋状に巻く方向に取り付けられたブラシ材の列中に２種以上のブラシ材が併存していること、
ブラシ材として、ひだ寄せした布帛又はひだ寄せした合成樹脂発泡体シートと、自由端側をスリットで細分した合成樹脂発泡体シート又はモノフィラメントの束とが用いられているか、又は、自由端側をスリットで細分した合成樹脂発泡体シートとモノフィラメントの束用とが用いられていること、
をその好ましい態様として含むものである。
【０００９】
【考案の実施の形態】
本考案を、図面に基づいて更に説明する。
【００１０】
図１は、本考案に係る洗車ブラシの第１の例を示す斜視図で、本例の洗車ブラシは、回転軸１の周囲に、種類の異なる第一のブラシ材２と第二のブラシ材３を取り付けたものとなっている。この第一のブラシ材２と第二のブラシ材３は、回転軸１の軸方向に交互に取り付けられており、それぞれ回転軸１の軸方向に多段にかつ各段毎に回転軸１を一周する方向に取り付けられている。
【００１１】
本例における第一のブラシ材２は、ひだ寄せした布帛又はひだ寄せした合成樹脂発泡体シートであり、第二のブラシ材３は、自由端側をスリットで細分した合成樹脂発泡体シート又はモノフィラメントの束となっている。即ち、広い面積の汚れを拭い取りやすい第一のブラシ材２と、この第一のブラシ材２に比して細かな凹凸部分の汚れを落としやすい第二のブラシ材３とを組み合わせたものとなっており、両者の長所が組み合わされて、洗浄力がアップされている。また、この効果は、第一のブラシ材２を自由端側をスリットで細分した合成樹脂発泡体シート、第二のブラシ材３をモノフィラメントの束としても得ることができる。
【００１２】
布帛としては、織布、不織布、編み物のいずれでもよいが、強度的に合成繊維の織布又は編み物が好ましく、特にソフトな感触を持たせるために、少なくとも表面側をピン付ローラーで毛羽立てた起毛品が好ましい。また、布帛は、吸水して車体への当たりが強くなったり、寒冷地で凍結してしまうことなどを防止するために、防水加工品が好ましい。
【００１３】
合成樹脂発泡体シートとしては、熱可塑性樹脂、各種エラストマーや合成ゴムの発泡シートを用いることができる。熱可塑性樹脂としては、例えばＥＶＡ、ポリエチレン、ポリウレタン、これらのブレンド品などを挙げることができる。エラストマーとしては、熱可塑性エラストマーが好ましく、例えばスチレン系熱可塑性エラストマー、ポリオレフィン系熱可塑性エラストマー、ポリ塩化ビニル系熱可塑性エラストマー、ポリウレタン系熱可塑性エラストマー、ポリエステル系熱可塑性エラストマーなどを用いることができる。合成樹脂発泡体シートは、薄すぎると必要な強度や腰の強さが得にくく、厚すぎると車体への当たりが強くなりやすいことから、厚みは２〜５ｍｍ程度が好ましい。また、吸水を防止するため、独立気泡の合成樹脂発泡体シートが用いられる。
【００１４】
自由端側（回転軸１への取付側とは反対側）をスリットで細分した合成樹脂発泡体シートとしては、上記合成樹脂発泡体シートの自由端側を、多数のスリットで細い帯状の多数の細片に細分したものを用いることができる。細片が簡単にちぎれない範囲で細片を細く柔軟にし、細かな凹凸部にも入り込みやすくするために、スリットの深さは１０〜３０ｃｍ、各細片の幅は０．５ｃｍ〜２ｃｍ程度が好ましく、更に各細片の先端部を浅いスリットで分割することもできる。
【００１５】
モノフィラメントとしては、例えばポリオレフィン、ポリオレフィンを主体とした共重合体、これらのブレンド物又はこれらの変性物のモノフィラメントを用いることができる。このモノフィラメントは、未発泡糸でもよいが、発泡倍率が１．１〜１．７倍の低発泡糸とすると、車体への当たりを和らげ、車体の傷付きを防止しやすくなるので好ましい。また、モノフィラメントは、水の表面張力によって外表面に水が付着しやすくして洗浄効果を高めることができるよう、例えば断面十字形などのように、中心部から放射状に分岐した断面形状を有することが好ましく、その外接円の直径が０．５ｍｍ〜５ｍｍ程度であることが好ましい。
【００１６】
本例においては、第一のブラシ材２と第二のブラシ材３が回転軸１の軸方向１段毎に交互に設けられているが、第一のブラシ材２と第二のブラシ材３を、２段毎、３段毎、更にはそれ以上の段数毎に入れ替えたり、ランダムな段数毎に入れ替えたりすることもできる。
【００１７】
なお、本考案において種類の異なるブラシ材とは、形態及び／又は構成材料が異なるブラシ材を意味する。形態が異なるブラシ材の種類としては、例えば、ひだ寄せした布帛、ひだ寄せした合成樹脂発泡体シート、自由端側をスリットで細分した合成樹脂発泡体シート、モノフィラメントの束を挙げることができる。
【００１８】
図２は、本考案に係る洗車ブラシの第２の例を示す斜視図で、回転軸１の周囲に、種類の異なる第一のブラシ材２と第二のブラシ材３が、それぞれ回転軸１の軸方向に多段にかつ各段毎に回転軸１を一周する方向に取り付けられている点は上記第１の例と同様である。
【００１９】
本例の洗車ブラシは、特に回転軸１を縦にして設置される場合に適したもので、回転軸１の上部の段に第一のブラシ材２が用いられ、回転軸１の下部の段に第二のブラシ材３が用いられている。なお、第一のブラシ材２がひだ寄せした布帛又はひだ寄せした合成樹脂発泡体シートであり、第二のブラシ材３が自由端側をスリットで細分した合成樹脂発泡体シート又はモノフィラメントの束である点は上記第１の例と同様である。
【００２０】
本例の第一のブラシ材２と第二のブラシ材３の配置とすると、広い平面部の多いボディ部分を、広い面積の汚れを拭い取りやすい第一のブラシ材２で洗浄すると共に、凹凸部の多いタイヤ周りを、この第一のブラシ材２に比して細かな凹凸部分の汚れを落としやすい第二のブラシ材３で洗浄することができるので、それぞれの長所を活かした洗浄を行うことができる。この効果は、第一のブラシ材２を自由端側をスリットで細分した合成樹脂発泡体シート、第二のブラシ材３をモノフィラメントの束としても得ることができる。
【００２１】
なお、第一のブラシ材２の段数と第二のブラシ材３の段数は、それぞれの洗浄範囲に応じて適宜選択することができる。
【００２２】
図３は、本考案に係る洗車ブラシの第３の例を示す斜視図で、回転軸１の周囲に、種類の異なる第一のブラシ材２と第二のブラシ材３が、回転軸１の周方向及び軸方向に交互に位置するよう、回転軸１の軸方向に多段にかつ各段毎に回転軸１を一周する方向に取り付けられている。なお、第一のブラシ材２がひだ寄せした布帛又はひだ寄せした合成樹脂発泡体シートであり、第二のブラシ材３が自由端側をスリットで細分した合成樹脂発泡体シート又はモノフィラメントの束である点は上記第１及び第２の例と同様である。
【００２３】
このようにすると、各段総てが、広い面積の汚れを拭い取りやすい第一のブラシ材２と、この第一のブラシ材２に比して細かな凹凸部分の汚れを落としやすい第二のブラシ材３とで洗浄を行うことになるので、各段の洗浄力を均一化することができる。この効果は、第一のブラシ材２を自由端側をスリットで細分した合成樹脂発泡体シート、第二のブラシ材３をモノフィラメントの束としても得ることができる。
【００２４】
本例においては、各段共に第一のブラシ材２と第二のブラシ材３が回転軸１の周方向及び軸方向共に交互に位置しているが、各段に両者が併存していれば特に規則的に交互に位置させる必要はなく、例えば回転軸１の周方向及び軸方向共にランダムに位置させることもできる。
【００２５】
図４は、本考案に係る洗車ブラシの第４の例を示す斜視図で、回転軸１の周囲に、種類の異なる第一のブラシ材２と第二のブラシ材３とが、回転軸１の周方向に交互で、回転軸１の軸方向に揃う位置に取付けられている。
【００２６】
このようにすると、上記第３の例と同様に、第一のブラシ材２と第二のブラシ材３による高い洗浄力を各段について得ることができる。また、同じブラシ材が回転軸１の軸方向に揃うので、ブラシ材の設置作業が容易となる。なお、第一のブラシ材２と第二のブラシ材３は上記第３の例と同様である。
【００２７】
図５は、本考案に係る洗車ブラシの第５の例を示す斜視図で、回転軸１の周囲に、種類の異なる第一のブラシ材２と第二のブラシ材３が、回転軸１の周方向及び軸方向に交互に位置するよう取り付けられている点は前記第３の例と同様であるが、本例の第一のブラシ材２と第二のブラシ材３は、回転軸１を螺旋状に巻く方向に列状に取り付けられている。なお、第一のブラシ材２がひだ寄せした布帛又はひだ寄せした合成樹脂発泡体シートであり、第二のブラシ材３が自由端側をスリットで細分した合成樹脂発泡体シート又はモノフィラメントの束である点は第１の例〜第４の例と同様である。
【００２８】
このようにすると、第一のブラシ材２と第二のブラシ材３が螺旋状かつ交互に取り付けられているので、回転軸１の回転に伴い、広い面積の汚れを拭い取りやすい第一のブラシ材２と、この第一のブラシ材２に比して細かな凹凸部分の汚れを落としやすい第二のブラシ材３とを、車体全面に対して交互に当てやすくなり、洗浄効果が高まるだけでなく、洗浄むらを防止することができる。この効果は、第一のブラシ材２を自由端側をスリットで細分した合成樹脂発泡体シート、第二のブラシ材３をモノフィラメントの束としても得ることができる。
【００２９】
本例においては、第一のブラシ材２と第二のブラシ材３が、回転軸１の周方向及び軸方向に交互に位置しているが、回転軸１を螺旋状に巻く方向に取り付けられたブラシ材の列中に交互に併存していれば、特に回転軸１の軸方向には交互に位置させる必要はなく、回転軸１の軸方向については、第一のブラシ材２と第二のブラシ材３の位置が揃っていてもランダムであってもよい。
【００３０】
以上の第１の例〜第５の例は、第一のブラシ材２と第二のブラシ材３を用いた場合として説明したが、本考案はこの２種類のブラシ材を用いる場合に限られるものではなく、３種類以上のブラシ材を用いることができる。即ち、第一のブラシ材２と第二のブラシ材３の他に、第３，第４…のブラシ材を用い、これらを併存させることもできる。
【００３１】
第２の例に係る洗車ブラシは特に回転軸１を縦にして設置する場合に適した例として説明したが、第１の例及び第３の例〜第５の例に係る洗車ブラシは、回転軸１を横にして設置しても縦にして設置しても同様の効果を得ることができる。また、第１〜第５の例において、第一のブラシ材２と第二のブラシ材３の位置を入れ替えても同様の効果を得ることができる。
【００３２】
【考案の効果】
本考案は、以上説明したとおりのものであり、異なる種類のブラシ材を併用することにより、それぞれの長所を合わせた洗浄を行うことができ、洗車ブラシの洗浄力を向上させることができるものである。
【図面の簡単な説明】
【図１】本考案に係る洗車ブラシの第１の例を示す斜視図である。
【図２】本考案に係る洗車ブラシの第２の例を示す斜視図である。
【図３】本考案に係る洗車ブラシの第３の例を示す斜視図である。
【図４】本考案に係る洗車ブラシの第４の例を示す斜視図である。
【図５】本考案に係る洗車ブラシの第５の例を示す斜視図である。
【符号の説明】
１　回転軸
２　第一のブラシ材
３　第二のブラシ材
【図１】
0003097369.tif 000003
【図２】
0003097369.tif 000004
【図３】
0003097369.tif 000005
【図４】
0003097369.tif 000006
【図５】
0003097369.tif 000007